(57)【特許請求の範囲】
【請求項１】
本体内に板状のスイッチ基板が設けられたスイッチであって、
操作部と、
前記操作部の動きに連動して操作されるスイッチ部を含み、前記本体内に配置され、前記スイッチ基板に実装されたスイッチ端子と、
前記本体に設けられ、前記スイッチ基板の側方に間隔を設けて併設された基板支持部と、
前記本体内に固定され、前記スイッチ部の端面と接触するスイッチ支持部と、
を備え、
前記操作部は、
一部が前記本体内に配置され、他部が前記本体外に配置され、第１の方向に移動自在に前記本体に設けられた外側操作部と、
前記本体内に配置され、前記外側操作部の前記第１の方向の動きに連動して前記第１の方向とは交差する第２の方向に動き、前記スイッチ部を操作する内側操作部とを含み、
前記スイッチ支持部は、前記第１の方向に延びるように形成され、
前記内側操作部は、前記第１の方向に延びる筒状であり、内側に前記スイッチ支持部が配置されている
ことを特徴とするスイッチ。
【請求項２】
前記スイッチ基板の第１周縁部及び前記第１周縁部に対向する第２周縁部にそれぞれ配置され、前記本体内に固定された一対の第１基板支持部と、
前記スイッチ基板の前記第１周縁部及び前記第２周縁部の延びる方向に対して交差する第３周縁部及び前記第３周縁部に対向する第４周縁部にそれぞれ配置され、前記本体内に固定された一対の第２基板支持部と、をさらに備え、
前記スイッチ基板は、
前記第１周縁部と前記第２周縁部との間の幅が、一方の前記第１基板支持部と他方の前記第１基板支持部との間隔よりも小さく構成され、
前記第３周縁部と前記第４周縁部との間の幅が、一方の前記第２基板支持部と他方の前記第２基板支持部との間隔よりも小さく構成されている
ことを特徴とする請求項１に記載のスイッチ。
【請求項３】
前記本体内に配置され、前記スイッチ基板が載置される基板積載部をさらに備えた
ことを特徴とする請求項１または２に記載のスイッチ。
【請求項４】
前記基板積載部は、
一方の前記第１基板支持部の配置側と他方の前記第１基板支持部の配置側とにそれぞれ設けられて対をなし、
前記スイッチ支持部は、
対をなす前記基板積載部の間に配置されている
ことを特徴とする請求項２に従属する請求項３に記載のスイッチ。
【請求項５】
前記内側操作部は、
対をなす前記基板積載部の間に配置されている
ことを特徴とする請求項１に従属する請求項４に記載のスイッチ。
【請求項６】
前記スイッチ基板に対して前記基板積載部が配置されている側とは反対側に配置され、前記本体に固定される蓋部とをさらに備え、
前記スイッチ基板は、
前記基板積載部と前記蓋部とに挟持される
ことを特徴とする請求項３〜５のいずれか一項に記載のスイッチ。
【請求項７】
前記スイッチ基板には、
前記第１周縁部及び前記第２周縁部にそれぞれ形成され、前記第１基板支持部が配置されている切欠部を含む
ことを特徴とする請求項２、請求項２に従属する請求項３〜６のいずれか一項に記載のスイッチ。
【請求項８】
一方の前記第１基板支持部が前記第１周縁部に接触しているときには、他方の前記第１基板支持部と前記第２周縁部との間に第１隙間が形成され、
他方の前記第１基板支持部が前記第２周縁部に接触しているときには、一方の前記第１基板支持部と前記第１周縁部との間に前記第１隙間と同じ大きさの第２隙間が形成される
ことを特徴とする請求項２、請求項２に従属する請求項３〜７のいずれか一項に記載のスイッチ。
【請求項９】
一方の前記第２基板支持部が前記第３周縁部に接触しているときには、他方の前記第２基板支持部と前記第４周縁部との間に第３隙間が形成され、
他方の前記第２基板支持部が前記第４周縁部に接触しているときには、一方の前記第２基板支持部と前記第３周縁部との間に前記第３隙間と同じ大きさの第４隙間が形成される
ことを特徴とする請求項２、請求項２に従属する請求項３〜８のいずれか一項に記載のスイッチ。
【請求項１０】
請求項１〜９のいずれか一項に記載のスイッチと、
前記スイッチにより点灯制御される非常用光源ユニットと、
前記非常用光源ユニットが取り付けられる本体と、
を備えた
ことを特徴とする照明器具。
【発明の詳細な説明】
【技術分野】
【０００１】
本発明は、スイッチ及び照明器具に関し、特に、スイッチ及び照明器具が備えているスイッチ構造に関するものである。
【背景技術】
【０００２】
照明器具は例えば建物等の天井に据え付けられる。ここで、照明器具は、器具本体と、器具本体に着脱自在に設けられ、光源部を含む灯具部とを備えているものが提案されている（例えば、特許文献１参照）。
【０００３】
特許文献１の照明器具は、長尺に形成され点灯装置を備えた光源ユニットと、非常用光源ユニットと、この光源ユニットの一部と非常用光源ユニットが収容される凹部を有する本体とを備えている。この照明器具の非常用光源ユニットは、なんらかの理由で商用電源からの電力供給が停止され光源ユニットが点灯できない時（非常時）に、非常用光源ユニットの蓄電池を電源として非常用光源ユニットの光源部を点灯させることができるようになっている。
【０００４】
ここで、非常用光源ユニットは、蓄電池が正常に作動するか否かを点検するときに操作される点検用のスイッチを備えているものがある。点検用のスイッチは、例えば、本内と、本体内に配置された基板と、基板に実装されるスイッチ端子と、スイッチ端子を操作する操作部とを備える。そして、作業者が、操作部を操作することでスイッチ端子のＯＮ、ＯＦＦが操作できるようになっている。
【先行技術文献】
【特許文献】
【０００５】
【特許文献１】特開２０１５−８８４３３号公報
【発明の概要】
【発明が解決しようとする課題】
【０００６】
スイッチの本体には、基板及び操作部が取り付けられる。ここで、スイッチ端子が基板上の予め定めた位置に実装されるとは限らず、実装ずれが生じることがある。したがって、基板の配置位置を、例えば、基板の周縁部を支持する位置決め用の支持部を基準に定めると、基板に実装されたスイッチ端子と操作部との位置関係が予め定めた位置関係からずれてしまう場合がある。
【０００７】
スイッチ端子と操作部との位置関係が予め定めた位置関係からずれると、操作部を操作してもスイッチ端子が操作されない、操作部とスイッチ端子とが強く接触して基板等が損傷する等の不具合が生じる可能性がある。
【０００８】
本発明は、以上のような課題を解決するためになされたもので、スイッチ端子の基板への実装ずれが生じていても、スイッチ動作の不具合を抑制することができるスイッチ及び照明器具を提供することを目的としている。
【課題を解決するための手段】
【０００９】
本発明に係るスイッチは、本体内に板状のスイッチ基板が設けられたスイッチであって、操作部と、操作部の動きに連動して操作されるスイッチ部を含み、本体内に配置され、スイッチ基板に実装されたスイッチ端子と、本体に設けられ、スイッチ基板の側方に間隔を設けて併設された基板支持部と、本体内に固定され、スイッチ部の端面と接触するスイッチ支持部と、を備え、操作部は、一部が本体内に配置され、他部が本体外に配置され、第１の方向に移動自在に本体に設けられた外側操作部と、本体内に配置され、外側操作部の第１の方向の動きに連動して第１の方向とは交差する第２の方向に動き、スイッチ部を操作する内側操作部とを含み、スイッチ支持部は、第１の方向に延びるように形成され、内側操作部は、第１の方向に延びる筒状であり、内側にスイッチ支持部が配置されているものである。
【発明の効果】
【００１０】
本発明に係るスイッチによれば、上記構成を有しているため、スイッチ端子の基板への実装ずれが生じていても、操作性確実性が低減することを抑制することができる。
【図面の簡単な説明】
【００１１】
【図１】本発明の実施の形態１に係るスイッチの斜視図である。
【図２】本発明の実施の形態１に係るスイッチの分解斜視図である。
【図３】本発明の実施の形態１に係るスイッチの長手方向に平行な断面図である。
【図４】本発明の実施の形態１に係るスイッチの本体の内部構造の説明図である。
【図５】本発明の実施の形態１に係るスイッチのスイッチ基板の説明図である。
【図６】本発明の実施の形態１に係るスイッチの本体にスイッチ基板を配置した状態の説明図である。
【図７】本発明の実施の形態１に係るスイッチの内側操作部の説明図である。
【図８】本発明の実施の形態１に係るスイッチのＯＮ、ＯＦＦ動作の説明図である。
【図９Ａ】本発明の実施の形態１に係るスイッチのスイッチ基板がｘ２方向にずれた状態を示す説明図である。
【図９Ｂ】本発明の実施の形態１に係るスイッチのスイッチ基板がｘ１方向にずれた状態を示す説明図である。
【図９Ｃ】本発明の実施の形態１に係るスイッチのスイッチ基板がｚ１方向にずれた状態を示す説明図である。
【図９Ｄ】本発明の実施の形態１に係るスイッチのスイッチ基板がｚ２方向にずれた状態を示す説明図である。
【図９Ｅ】本発明の実施の形態１に係るスイッチのスイッチ基板がスイッチ端子を中心として第１の回転方向に回転させた状態を示す説明図である。
【図９Ｆ】本発明の実施の形態１に係るスイッチのスイッチ基板がスイッチ端子を中心として第１の回転方向とは反対の第２の回転方向に回転させた状態を示す説明図である。
【図１０Ａ】本発明の実施の形態１に係るスイッチの外側操作部及び内側操作部の変形例１である。
【図１０Ｂ】本発明の実施の形態１に係るスイッチの外側操作部及び内側操作部の変形例２である。
【図１０Ｃ】本発明の実施の形態１に係るスイッチの外側操作部の変形例３である。
【図１１】本発明の実施の形態２に係るスイッチを備えた照明器具の斜視図である。
【図１２】本発明の実施の形態２に係るスイッチを備えた照明器具の分解斜視図である。
【図１３】本発明の実施の形態２に係るスイッチを備えた照明器具の点灯装置等の説明図である。
【図１４】本発明の実施の形態２に係るスイッチを備えた照明器具の照明ユニットの分解斜視図である。
【図１５】本発明の実施の形態２に係るスイッチを備えた照明器具の器具本体の斜視図である。
【図１６】図１５に示す器具本体について、非常用光源ユニットを分解した状態で示した斜視図である。
【図１７】図１５に示す器具本体について、図１６とは異なる方向から見た斜視図である。
【図１８】図１１〜図１７で説明した非常用光源ユニットとは異なる非常用光源ユニットの説明図である。
【発明を実施するための形態】
【００１２】
以下、本発明に係るスイッチ及び照明器具の実施の形態１について、図面を参照しながら説明する。以下に説明する実施の形態１によって本発明が限定されるものではない。
【００１３】
実施の形態１．
図１は、本実施の形態１に係るスイッチ１の斜視図である。なお、また、図１を含め、以下の図面では各構成部材の大きさの関係が実際のものとは異なる場合がある。
【００１４】
＜スイッチ１の概要＞
本実施の形態１に係るスイッチ１は、照明器具に設けられたスイッチであり、例えば、照明器具の点検用のスイッチである。スイッチ１は、図示省略の照明器具の電源装置等の外部機器に接続し、外部機器への電気供給状態を制御する。
【００１５】
スイッチ１は、本体１０と蓋部２０により外郭が形成されている。本体１０からは、スイッチ１のＯＮ、ＯＦＦを操作する外側操作部４０のつまみ部４１が突き出している。また、スイッチ１の側面の一部には開口が形成されており、この側面の開口の内側には接続端子３４が配置されている。この接続端子３４は電線等を介して外部機器に電気的に接続する。
【００１６】
＜スイッチ１の構成説明＞
図２は、本実施の形態１に係るスイッチ１の分解斜視図である。
図３は、本実施の形態１に係るスイッチ１の長手方向に平行な断面図である。
図４は、本実施の形態１に係るスイッチ１の本体１０の内部構造の説明図である。
図５は、本実施の形態１に係るスイッチ１のスイッチ基板３０の説明図である。
図６は、本実施の形態１に係るスイッチ１の本体１０にスイッチ基板３０を配置した状態の説明図である。
図７は、本実施の形態１に係るスイッチ１の内側操作部５０の説明図である。
【００１７】
スイッチ１は、開口を有する略箱形状の本体１０と、本体１０の開口を塞ぐ蓋部２０と、本体１０の内側に設けられスイッチ１に接続された外部機器のＯＮ、ＯＦＦを制御するスイッチ基板３０とを備えている。また、スイッチ１は、一部が本体１０から突き出した外側操作部４０と、外側操作部４０に連動して動き、スイッチ基板３０に力を加える内側操作部５０と、内側操作部５０を付勢する弾性部材６０とを備えている。外側操作部４０及び内側操作部５０が操作部に対応する。
【００１８】
（本体１０）
本体１０は、一面が開口した略箱形状をしている筐体である。本体１０内には、スイッチ基板３０、外側操作部４０の一部、内側操作部５０及び弾性部材６０が収容されている。
【００１９】
本体１０は、側面部１２ａ〜１２ｄと、平面部１１とを有している。本体１０は、側面部１２ａから１２ｄ及び平面部１１が接続されて、略箱形状をなしている。なお、以下の説明では、側面部１２ａ〜１２ｄを側面部１２と総称することもある。各側面部１２及び平面部１１は板状部材である。
【００２０】
側面部１２ａは側面部１２ｂに直交するように接続されている。側面部１２ａも後述するように基板支持部としての機能を有する。側面部１２ａの側方には、スイッチ基板３０に実装された接続端子３４と導通する配線等が通る接続用開口１２ａａが形成されている。側面部１２ｂは側面部１２ｄに直交するように接続されており、側面部１２ｃと向かい合って対をなす部分である。側面部１２ｂの外側表面には、蓋部２０と係合する蓋用凸部１７が２つ形成されている。側面部１２ｂは長手方向の断面視形状がクランク状となっている。側面部１２ｃは側面部１２ａ及び側面部１２ｄに直交するように接続されている。側面部１２ｄは側面部１２ｂ及び側面部１２ｃに直交するように接続されている。側面部１２ｄは弾性部材６０の一方が取り付けられており、弾性部材６０の弾性力を受ける。平面部１１の内表面の周縁部には、側面部１２ａ〜１２ｄが接続されている。平面部１１は、側面部１２ｄとの接続側の端部がテーパー状に形成され、側面部１２ａとの接続側の端部もテーパー状に形成されている。平面部１１には、外側操作部４０が挿入される操作用開口１１ａが形成されている。
【００２１】
本体１０の内側には、第１基板支持部１３と、第２基板支持部１４と、基板積載部１５と、スイッチ支持部１６とが形成されている。
【００２２】
第１基板支持部１３は、側面部１２ｂの内側面寄りの位置及び側面部１２ｃの内側面寄りの位置にそれぞれ形成された凸状部である。第１基板支持部１３は、本体１０内におけるスイッチ基板３０の動きを一定範囲内に規制する機能を有する。第１基板支持部１３は、一定程度であれば、スイッチ基板３０のｚ１方向及びｚ２方向のスライド移動を許容する構成となっている。また、第１基板支持部１３は、一定程度であれば、ｘ−ｚ面内におけるスイッチ基板３０の回転移動を許容する構成となっている。
一方の第１基板支持部１３は、側面部１２ｃとの接続位置からｚ２方向に突出形成されている。他方の第１基板支持部１３は、側面部１２ｂとの接続位置からｚ１方向に突出形成されている。第１基板支持部１３は、ｙ１方向に平行に直線状に延びるように形成されている。すなわち、第１基板支持部１３は、ｙ２方向において、本体１０の開口した一面側から平面部１１側にかけて延びるように形成されている。なお、第１基板支持部１３は、ｙ２方向において、直線状に連続的に延びるものとして説明したが、それに限定されるものではなく、例えば、所々が途切れていてもよい。
第１基板支持部１３は、ｘ１に平行な方向の配置が、第２基板支持部１４と側面部１２ａとの間となっている。なお、ｘ１に平行な方向の配置において、側面部１２ｃの第１基板支持部１３の配置と側面部１２ｂの第１基板支持部１３の配置とは同じではなく、ずれている。
なお、第１基板支持部１３は側面部１２ｂ及び側面部１２ｃに１つずつ形成されているが、複数ずつ形成されていてもよい。
【００２３】
第２基板支持部１４は、側面部１２ｂの内側面寄りの位置及び側面部１２ｃの内側面寄りの位置にそれぞれ形成されている。第２基板支持部１４及び側面部１２ａは、本体１０内におけるスイッチ基板３０の動きを一定範囲内に規制する機能を有する。しかし、第２基板支持部１４及び側面部１２ａは、一定程度であれば、スイッチ基板３０のｘ１方向及びｘ２方向のスライド移動を許容する構成となっている。また、第２基板支持部１４及び側面部１２ａは、一定程度であれば、ｘ−ｚ面内におけるスイッチ基板３０の回転移動を許容する構成となっている。
一方の第２基板支持部１４は、ｘ−ｚ断面において側面部１２ｃに接続され、ｚ２方向に突出する直線部１４ａと、直線部１４ａの接続部分からｘ１方向に突出し、スイッチ基板３０との接触部分となる接触部１４ｂとを備えている。他方の第２基板支持部１４は、ｘ−ｚ断面において側面部１２ｂに接続され、ｚ１方向に突出する直線部１４ａと、直線部１４ａの接続部分からｘ１方向に突出し、スイッチ基板３０との接触部分となる接触部１４ｂとを備えている。このように、第２基板支持部１４は断面視形状がＬ字状である。第２基板支持部１４は、ｙ２方向において、本体１０の開口した一面側から平面部１１側にかけて延びるように形成されている。なお、第２基板支持部１４は、ｙ２方向において、直線状に連続的に延びるものとして説明したが、それに限定されるものではなく、例えば、所々が途切れていてもよい。
第２基板支持部１４は、ｘ１に平行な方向の配置において、第１基板支持部１３と側面部１２ｄとの間に配置されている。
【００２４】
基板積載部１５は、側面部１２ｂの内側面寄りの位置及び側面部１２ｃの内側面寄りの位置にそれぞれ形成されており、スイッチ基板３０が載置される部分である。側面部１２ｃの基板積載部１５は、第２基板支持部１４の接触部１４ｂと、側面部１２ｃと、平面部１１とに接続されている。なお、基板積載部１５は、第２基板支持部１４の接触部１４ｂに接続されていなくてもよく、接触部１４ｂとの間に隙間が形成されていてもよい。また、基板積載部１５は、側面部１２ｃ及び平面部１１の両方に接続されている必要はなく、これらのうちの一方に接続されていればよい。基板積載部１５は、平面部１１からの高さが、第２基板支持部１４よりも低い。つまり、基板積載部１５は、高さ方向の幅（ｙ２方向の幅）が第２基板支持部１４よりも小さくなっており、第２基板支持部１４との接続位置に段差部が形成されている。
一方の基板積載部１５は、ｘ１方向に延びる第１積載部１５ａと、一端が第１積載部１５ａに直交するように接続され、他端が側面部１２ｃに接続された複数の第２積載部１５ｂとを備えている。なお、複数の第２積載部１５ｂの間には第１基板支持部１３が配置されている。他方の基板積載部１５も、第１積載部１５ａ及び第２積載部１５ｂを備えているが、第２積載部１５ｂの数は単数である。なお、他方の第２積載部１５ｂと側面部１２ｂのうち第２積載部１５ｂと平行な面との間には第１基板支持部１３が配置されている。また、他方の基板積載部１５及び他方の第２基板支持部１４によって囲われた空間が形成されている。すなわち、他方の基板積載部１５及び他方の第２基板支持部１４は、後述する光源３３が配置される光源配置部Ｂが形成されている。
一方の基板積載部１５及び他方の基板積載部１５には、凸部１５ａ１が第１積載部１５ａに形成されている。一方の凸部１５ａ１はｚ２方向に突出し、他方の凸部１５ａ１はｚ１方向に突出し、互いが近づくように形成されている。凸部１５ａ１は、弾性部材６０によって付勢された内側操作部５０と接触し、内側操作部５０がｘ１方向に移動しすぎないように規制している。
【００２５】
スイッチ支持部１６は、一端が平面部１１に接続され、他端がスイッチ基板３０に対向するように配置されている。また、スイッチ支持部１６は、一方の基板積載部１５と他方の基板積載部１５との間に配置されている。スイッチ支持部１６はｙ１方向に平行に延びるように形成されている。スイッチ支持部１６は、本体１０と同体であるものとして説明するが、それに限定されるものではなく、別体であってもよい。つまり、スイッチ支持部１６は本体１０内に固定されていればよい。スイッチ支持部１６は、スイッチ基板３０が本体１０に設けられている状態においてスイッチ端子３２の端面３２ｂと接触する。この端面３２ｂは、スイッチ部３２ａの反対側に形成されている。
スイッチ支持部１６は、スイッチ端子３２の端面３２ｂと接触し、スイッチ端子３２が配置される配置面１６ａが形成されている。スイッチ支持部１６は、ｘ１に平行な方向の配置が、接触部１４ｂと第１基板支持部１３との間であり、また、操作用開口１１ａと凸部１５ａ１との間である。
【００２６】
（蓋部２０）
蓋部２０は、図２及び図３に示すように、本体１０の開口を塞ぐ蓋本体部２１と、蓋用凸部１７と係合する蓋側係合部２２と、を備えている。蓋本体部２１は、スイッチ１の外表面の一部を構成する第１面及び第１面の反対側に形成された第２面が形成されている。第２面には、本体１０内に配置されたスイッチ基板３０を保持する蓋側基板保持部２１ａが形成されている。蓋側基板保持部２１ａは、基板積載部１５とともに、スイッチ基板３０のｙ１方向及びｙ２方向の動きを一定範囲内に規制する機能を有する。蓋側係合部２２は、蓋本体部２１の周縁部に形成されている。
【００２７】
（スイッチ基板３０）
スイッチ基板３０は、図５に示すように、基板３１と、プッシュ式のスイッチ端子３２と、モニタ用ランプとなる光源３３と、図示しない電線等を介して外部機器と接続する接続端子３４と、を備えている。スイッチ基板３０は、スイッチ端子３２、光源３３及び接続端子３４が実装された面が本体１０の内側にくるように、本体１０に配置される。スイッチ基板３０は、本体１０の基板積載部１５と、蓋部２０の蓋側基板保持部２１ａとにより挟まれ、ｙ１方向及びｙ２方向の動きが一定範囲内に規制されている。なお、本体１０の基板積載部１５と蓋部２０の蓋側基板保持部２１ａとの対向間隔を基板３１と同等に設定し、本体１０の基板積載部１５及び蓋部２０の蓋側基板保持部２１ａで基板３１を保持していてもよい。
【００２８】
基板３１は、板状部材であり、第２基板支持部１４に向かい合う周縁部３１ａ１〜３１ａ４と、一方の第１基板支持部１３及び他方の第１基板支持部１３が配置される複数の切欠部３１ｂとを備えている。
切欠部３１ｂは、周縁部３１ａ１（第１周縁部）及び周縁部３１ａ２（第２周縁部）のそれぞれに形成されている。
周縁部３１ａ１は、側面部１２ｃに沿って配置されており、一方の第１基板支持部１３に対向する。周縁部３１ａ２は、側面部１２ｂに沿って配置されており、他方の第１基板支持部１３に対向する。周縁部３１ａ３（第３周縁部）は、第２基板支持部１４（一方の第２基板支持部）の対向している。周縁部３１ａ４（第４周縁部）は、側面部１２ａ（他方の第２基板支持部）に対向している。周縁部３１ａ１及び周縁部３１ａ２と、周縁部３１ａ３及び周縁部３１ａ４とは直交するように交差している。
基板３１は、周縁部３１ａ１と周縁部３１ａ２との間の幅が、一方の第１基板支持部１３と他方の第１基板支持部１３との間隔よりも小さく構成されている。また、スイッチ基板は、周縁部３１ａ３と周縁部３１ａ４との間の幅が、一方の第２基板支持部１４と他方の第２基板支持部（側面部１２ａ）との間隔よりも小さく構成されている。このため、後述するように、基板３１と、側面部１２ａ、第１基板支持部１３及び第２基板支持部１４との間には隙間Ａ（間隔）が形成される。
スイッチ端子３２は、ｘ２方向が押込方向となっているスイッチ部３２ａとスイッチ部３２ａの配置側とは反対側に形成されたスイッチ端子３２とを備えている。スイッチ部３２ａは、押込方向が基板３１と平行になるように基板３１に実装され、また、ｘ１方向の延長上に接続端子３４がくるように基板３１に実装される。スイッチ端子３２はスイッチ支持部１６の配置面１６ａと接触する。スイッチ端子３２は、スイッチ基板３０が本体１０に取り付けられた状態において、一方の基板積載部１５の第１積載部１５ａと他方の基板積載部１５の第１積載部１５ａとの間に配置されている。
光源３３は、外部機器の状態を表示するものである。なお、この外部機器は例えば、非常用光源ユニットの蓄電池であり、蓄電池が正常に充電を行われているかどうか及び点検結果等を表示する。光源３３は、光源配置部Ｂに配置される。ここで、本体１０は、光透過性を有している。このため、光源３３が発光することで、本体１０の主に平面部１１に光が照射され、スイッチ１の平面部１１が面発光する。
接続端子３４は、スイッチ基板３０が本体１０に取り付けられた状態において、本体１０の接続用開口１２ａａの位置に配置されている。
【００２９】
（外側操作部４０）
外側操作部４０は、一部が本体１０の内側に配置され、他部が本体１０の外側に配置され、第１の方向に移動自在に本体１０に設けられている。なお、第１の方向とは、ｙ１方向及びｙ２方向である。具体的には、外側操作部４０は、図２に示すように、本体１０の外側に配置されたつまみ部４１と、本体１０内に配置された摺動部４２とを備えている。そして、外側操作部４０は、ｙ２方向へ引っ張ることができるように本体１０に設けられている。つまみ部４１の一端部には引掛開口４１ａが形成されおり、フック状の突起等を引っ掛けることができる。つまみ部４１の他端部には摺動部４２が設けられている。
摺動部４２は、ｘ１方向に向かうにしたがってｙ２方向に下がる傾斜面４２ａが形成されている。傾斜面４２ａは、後述する内側操作部５０の摺動受部５２ａに接触し、対向するように配置されている。傾斜面４２ａと呼称する。
【００３０】
（内側操作部５０）
内側操作部５０は、図７に示すように２つの角状の筒部が並設した形状を有している。すなわち、内側操作部５０は、一方の筒部としてのスイッチ収容部５１と、他方の筒部としての操作部収容部５２とを有している。内側操作部５０は、第２の方向に移動自在に設けられている。なお、第２の方向とは、ｘ１方向及びｘ２方向である。内側操作部５０は外側操作部４０の移動に連動して本体１０内を移動し、スイッチ端子３２のスイッチ部３２ａを操作する。
【００３１】
スイッチ収容部５１の内側には、スイッチ端子３２及びスイッチ支持部１６が配置される。また、このスイッチ収容部５１のスイッチ端子３２のスイッチ部３２ａと対面する箇所にスイッチ押込面５１ａが形成されている。スイッチ押込面５１ａはスイッチ収容部５１の内側面の一部を構成している。スイッチ押込面５１ａは内側操作部５０の一端側と他端側との間に形成されている。
【００３２】
操作部収容部５２には外側操作部４０の一部である摺動部４２が配置される。操作部収容部５２は、図７に示すように、ｘ１方向に向かうにしたがってｙ２方向に傾斜する摺動受部５２ａが形成されている。つまり、摺動受部５２ａは、操作部収容部５２の内側面の一部であり、傾斜面が形成されている。摺動受部５２ａは内側操作部５０の一端側に形成されている。この摺動受部５２ａは、外側操作部４０の摺動部４２が摺動し、且つ、外側操作部４０の摺動部４２を保持する機能を有する。摺動受部５２ａの傾斜面は、外側操作部４０の傾斜面４２ａと平行である。なお、摺動受部５２ａの傾斜面は、外側操作部４０の傾斜面４２ａと平行であることに限定されない。例えば、摺動受部５２ａの傾斜面及び外側操作部４０の傾斜面４２ａのうちの少なくとも一方は曲面であってもよい。摺動受部５２ａの傾斜面が第２傾斜面と呼称する。
【００３３】
操作部収容部５２の一端には、弾性部材６０を保持する弾性部材保持部５２ｂが形成されている。弾性部材保持部５２ｂは、ｚ１方向に平行な幅の中央部に配置されている。摺動受部５２ａは、この弾性部材保持部５２ｂを挟んだ両側に形成されている。つまり、摺動受部５２ａは内側操作部５０に一対形成されている。なお、摺動受部５２ａは一対形成されている必要はなく、片方であってもよい。
【００３４】
内側操作部５０は、一方の基板積載部１５と他方の基板積載部１５との間に配置されている。これにより、基板積載部１５は内側操作部５０が可動するときのガイドとなる。
内側操作部５０は、スイッチ押込面５１ａの形成面の反対側に形成された端面５１ｂを有している。端面５１ｂはｘ１方向において凸部１５ａ１と対向する。端面５１ｂは内側操作部５０の他端に形成されている。端面５１ｂは、外側操作部４０が操作されていない状態では、弾性部材６０が内側操作部５０をｘ１方向に付勢し、凸部１５ａ１と接触している。これにより、内側操作部５０のｘ１方向に平行な移動範囲を制限している。
【００３５】
（弾性部材６０）
弾性部材６０は、図２及び図３に示すように、例えば、コイルバネで構成することができる。弾性部材６０は側面部１２ｄと内側操作部５０の一端側との間に配置されている。弾性部材６０は、内側操作部５０をｘ１方向に付勢する機能を有する。また、弾性部材６０は、外側操作部４０の操作者に適度な操作感を与える機能を有する。弾性部材６０は、一端が側面部１２ｄに取り付けられ、他端が内側操作部５０の弾性部材保持部５２ｂに取り付けられている。なお、弾性部材６０は、コイルバネに限定されるものではなく、ゴム等で構成することもできる。
【００３６】
［動作説明］
スイッチ１のＯＮ、ＯＦＦ機構に関して、図８を用いて説明を行う。図８は、本実施の形態１に係るスイッチ１のＯＮ、ＯＦＦ動作の説明図である。図８（ａ）では内側操作部５０が第１の位置であり、スイッチ１がＯＦＦ状態である。図８（ｂ）では内側操作部５０が第２の位置であり、スイッチ１がＯＮ状態である。
【００３７】
まず、スイッチ１がＯＦＦ状態に関して説明を行う。スイッチ１は図８（ａ）の状態である。スイッチ１はＯＦＦ状態が通常の状態となる。スイッチ１がＯＦＦ状態のときの各部の特徴は下記のようになる。
【００３８】
（１）弾性部材６０は、側面部１２ｄ側へ弾性変形可能な状態であり、内側操作部５０の側面部１２ｄ側への移動を抑制している状態である。この弾性部材６０の弾性変形可能な状態とは、力が負荷されておらず弾性変形していない状態でもよく、内側操作部５０を側面部１２ａ側へ押し込んでいる状態でもよい。
（２）内側操作部５０は、弾性部材６０に移動が抑制され、凸部１５ａ１に保持されている。
（３）外側操作部４０は、摺動部４２が内側操作部５０の摺動受部５２ａと接触している。また、つまみ部４１は、本体１０の操作用開口１１ａから外側へ突出して配置されている。
（４）スイッチ基板３０の基板３１は、本体１０の基板積載部１５と蓋部２０の蓋側基板保持部２１ａとにより挟持されている。
（５）スイッチ端子３２は、スイッチ端子３２が本体１０のスイッチ支持部１６に接触している。
（６）基板３１の周縁部と本体１０の第１基板支持部１３及び第２基板支持部１４とは、全長で接触するのではなく、隙間Ａが設けられている。詳細は後述するが、隙間Ａを設けることでスイッチ端子３２への負荷を軽減する、スイッチ端子３２の動作不良を防ぐ、等の効果がある。
【００３９】
次に、スイッチ１をＯＦＦ状態からＯＮ状態にする。図８（ａ）の状態から、つまみ部４１をＹ２方向へ引っ張ることで、図８（ｂ）の状態になり、スイッチ１はＯＮ状態になる。スイッチ１がＯＮ状態のときの各部の特徴は下記のようになる。
【００４０】
（１）外側操作部４０の摺動部４２は、つまみ部４１をＹ２方向に引っ張ったときに、内側操作部５０の摺動受部５２ａを摺動しながらＹ２方向へ移動する。このとき、内側操作部５０はｘ２（側面部１２ｄ）方向へ押され移動する。
（２）内側操作部５０は、摺動部４２が摺動受部５２ａを摺動しながらＹ２方向へ移動することによりｘ２方向へ押され移動する。このとき、スイッチ端子３２のスイッチ部３２ａはスイッチ押込面５１ａに押し込まれるとともに、弾性部材６０は弾性部材保持部５２ｂと側面部１２ｄとの対向間隔が狭まって圧縮するように弾性変形する。
（３）外側操作部４０の摺動部４２と、内側操作部５０の摺動受部５２ａとは、傾斜面が形成されている。このため、外側操作部４０をＹ２方向に引っ張る力を、内側操作部５０をＸ２方向へ押す力にすることができる。
（４）外側操作部４０のつまみ部４１の引っ張り状態を解除すると、弾性部材６０の弾性変形状態も解除され、内側操作部５０はｘ２方向と反対方向であるｘ１（側面部１２ａ）側へ押され移動し、外側操作部４０はｙ２方向と反対方向に押され移動し、スイッチ１は図８（ａ）の状態であるＯＦＦ状態になる。
【００４１】
［本体１０とスイッチ基板３０の隙間について］
基板３１は、周縁部３１ａ１と、周縁部３１ａ２と、周縁部３１ａ３と、周縁部３１ａ４とを有している。周縁部３１ａ１と周縁部３１ａ２とが対向し、周縁部３１ａ３と周縁部３１ａ４とが対向している。さらに、周縁部３１ａ１及び周縁部３１ａ２と、周縁部３１ａ３及び周縁部３１ａ４とは直交している。周縁部３１ａ１及び周縁部３１ａ２にはそれぞれ切欠部３１ｂが形成されている。
【００４２】
図９Ａは、本実施の形態１に係るスイッチ１のスイッチ基板３０がｘ２方向にずれた状態を示す説明図である。
図９Ｂは、本実施の形態１に係るスイッチ１のスイッチ基板３０がｘ１方向にずれた状態を示す説明図である。
周縁部３１ａ３は複数の第２基板支持部１４と対向し、基板３１の位置に応じて第２基板支持部１４と接触したり、隙間Ａ３（第３隙間）が形成されたりする。また、周縁部３１ａ４は支持部としての側面部１２ａに対向し、基板３１の位置に応じて側面部１２ａと接触したり、隙間Ａ４（第４隙間）が形成されたりする。図９Ａに示す隙間Ａ３と図９Ｂに示す隙間Ａ４とは同じ大きさである。なお、隙間Ａ３と隙間Ａ４のｘ１方向の大きさの和は一定である。
ここで、図９Ａでは、第２基板支持部１４と周縁部３１ａ３とが接触している。図９Ｂでは、支持部としての側面部１２ａと周縁部３１ａ４とが接触している。図９Ａ及び図９Ｂは、スイッチ基板３０のスイッチ端子３２の実装位置がｘ１方向又はｘ２方向にずれた状態を想定している。つまり、この実装位置のずれがあっても、最大で第２基板支持部１４又は側面部１２ａに接触するまで、基板３１はｘ１方向又はｘ２方向に移動することができる。
【００４３】
図９Ｃは、本実施の形態１に係るスイッチ１のスイッチ基板３０がｚ１方向にずれた状態を示す説明図である。
図９Ｄは、本実施の形態１に係るスイッチ１のスイッチ基板３０がｚ２方向にずれた状態を示す説明図である。
周縁部３１ａ１及び周縁部３１ａ２は、それぞれの第１基板支持部１３と対向し、基板３１の位置に応じて第１基板支持部１３と接触したり、隙間Ａ１（第１隙間）及び隙間Ａ２（第２隙間）が形成されたりする。図９Ｃに示す隙間Ａ１と図９Ｄに示す隙間Ａ２とは同じ大きさである。なお、隙間Ａ１と隙間Ａ２のｚ１方向の大きさの和は一定である。
ここで、図９Ｃでは、一方の第１基板支持部１３と周縁部３１ａ１のうちの切欠部３１ｂの形成部分とが接触している。図９Ｄでは、他方の第１基板支持部１３と周縁部３１ａ２のうちの切欠部３１ｂの部分とが接触している。図９Ｃ及び図９Ｄは、スイッチ基板３０のスイッチ端子３２の実装位置がｚ１方向又はｚ２方向にずれた状態を想定している。この実装位置のずれがあっても、最大で第１基板支持部１３に接触するまで基板３１はｚ１方向又はｚ２方向に移動することができる。
【００４４】
図９Ｅは、本実施の形態１に係るスイッチ１のスイッチ基板３０がスイッチ端子３２を中心として第１の回転方向に回転させた状態を示す説明図である。
図９Ｆは、本実施の形態１に係るスイッチ１のスイッチ基板３０がスイッチ端子３２を中心として第１の回転方向とは反対の第２の回転方向に回転させた状態を示す説明図である。
図９Ｅ及び図９Ｆでは、スイッチ基板３０のスイッチ端子３２の実装位置が、ｙ１方向を軸として回転方向にずれた状態を想定している。この実装位置のずれがあっても、最大で第２基板支持部１４等に接触するまで基板３１は回転することができる。
【００４５】
なお、以下の説明において、隙間Ａ１〜Ａ４を総称して隙間Ａとも称する。
スイッチ基板３０は、スイッチ端子３２が本体１０のスイッチ支持部１６に接触して位置決めされた状態で本体１０内に固定されている。つまり、スイッチ１では、スイッチ基板３０の配置位置の基準を、スイッチ端子３２を用いて出しており、基板３１の周縁部を用いて出しているわけではない。ここで、スイッチ端子３２を用いてスイッチ基板３０の配置位置の基準を出すことで、内側操作部５０が移動してきたときに、スイッチ１が損傷することを回避しながら、より確実にスイッチ部３２ａを押し込むことができる。
【００４６】
逆に、基板３１でスイッチ基板３０の配置位置の基準を出すと、次のような不具合がある。つまり、スイッチ部３２ａが規定位置よりも接続端子３４の近くに配置され、内側操作部５０が移動したときにスイッチ端子３２に必要以上に力が負荷され、スイッチ端子３２、若しくは基板３１におけるスイッチ端子３２の実装部分が損傷する。また、スイッチ部３２ａが規定位置よりも接続端子３４から離れた側に配置され、内側操作部５０が移動したときにスイッチ端子３２への押し込み量が少なく、スイッチ１が機能を果たすことができない。
【００４７】
また、基板３１の周縁部３１ａ１〜３１ａ４と本体１０（第１基板支持部１３、第２基板支持部１４及び側面部１２ａ）との間に一定の大きさの隙間Ａが確保されていないと、スイッチ基板３０が動けなくなってしまう。したがって、隙間Ａが形成されていないと、スイッチ基板３０の配置位置の基準を、スイッチ端子３２を用いて出すことができなくなってしまう。そこで、スイッチ１には、基板３１の周縁部３１ａ１〜３１ａ４と本体１０（第１基板支持部１３、第２基板支持部１４及び側面部１２ａ）との間に隙間Ａが形成されている。したがって、スイッチ基板３０は、ｘ−ｚ面内で移動させることができるため、スイッチ支持部１６で容易にスイッチ部３２ａの位置決めができ、スイッチ基板３０のバラツキによる不具合を抑制して、スイッチ１の操作確実性を向上させることができる。
【００４８】
［本実施の形態１に係るスイッチ１の有する効果］
本実施の形態１に係るスイッチ１のスイッチ基板３０は、スイッチ端子３２が本体１０のスイッチ支持部１６に接触して位置決めされた状態で本体１０内に固定されている。また、スイッチ１は、スイッチ基板３０と本体１０との間には隙間Ａが確保されるように構成されている。したがって、スイッチ基板３０の実装バラツキによる不具合（スイッチ１の損傷及びスイッチ１が機能しない）を抑制して、スイッチ１の操作性確実性が低減することを抑制することができる。
【００４９】
本実施の形態１に係るスイッチ１は、外側操作部４０の一部（摺動部４２）からｘ１方向に間隔をもってスイッチ部３２ａが配置されている。つまり、外側操作部４０の移動方向であるｙ１方向の延長上にスイッチ部３２ａが配置されていない分、スイッチ１の薄型化を実現することができる。ここで、外側操作部４０の移動方向はｙ１方向及びｙ２方向であり、スイッチ部３２ａの押込方向であるｘ２方向に対して交差している。しかし、スイッチ１は、内側操作部５０が本体１０内に配置されており、外側操作部４０のｙ１方向及びｙ２方向の動きを、ｘ１方向及びｘ２方向に変換することができる。このため、外側操作部４０の一部（摺動部４２）からｘ１方向に間隔をもってスイッチ部３２ａが配置されていても、スイッチ１のＯＮ、ＯＦＦができる。
【００５０】
本実施の形態１に係るスイッチ１は、外側操作部４０及び内側操作部５０に傾斜面が形成されているので、外側操作部４０のｙ２方向の動きに連動して滑らかに内側操作部５０がｘ１方向に動き、スイッチ１のＯＮ、ＯＦＦの切り替えが行いやすい。
【００５１】
［変形例１］
図１０Ａは、本実施の形態１に係るスイッチ１の外側操作部４０及び内側操作部５０の変形例１である。また、変形例１に係る外側操作部４０の摺動部４２ｔは、傾斜面ではなく、丸棒状に形成されている。つまり、摺動部４２ｔのｙ１方向に平行な断面は円形状である。摺動部４２はつまみ部４１を境について両側に形成されている。変形例１に係る内側操作部５０の摺動受部５２ａｔは、摺動受部５２ａと同様に傾斜面が形成されているが、摺動受部５２ａよりもｚ１方向の幅が小さくなっており、レール状の斜面となっている。このように、摺動部４２ｔを丸棒状に形成し、また、摺動受部５２ａｔがレール状の斜面となっているので、摺動部４２ｔと摺動受部５２ａｔとの摺動抵抗を抑制しやすくなっている。このため、変形例１では、実施の形態１に係るスイッチ１と同様の効果を得ることができることに加え、つまみ部４１の引っ張りがより容易になるという効果を得ることができる。
【００５２】
［変形例２］
図１０Ｂは、本実施の形態１に係るスイッチ１の外側操作部４０及び内側操作部５０の変形例２である。実施の形態１では、スイッチ１は引っ張ることによりＯＮ、ＯＦＦの切り替えを行う構造を備えていた。高所に設置された照明器具にスイッチ１が設けられる場合には、実施の形態１で説明したように、プル式のスイッチ１の方が操作は良いと考えられる。しかし、スイッチ１をプッシュ式にしたい場合もある。その場合には、実施の形態１で説明した外側操作部４０及び内側操作部５０の傾斜面の向きをｙ−ｚ面を基準として対称にするとよい。図１０Ｂにおいて、プッシュ式のスイッチ１の一例を示す。
【００５３】
変形例２では、摺動部４２ｓにはｘ２方向に向かうにしたがってｙ２方向に下がる傾斜面が形成されている。また、摺動受部５２ａｓにも、ｘ２方向に向かうにしたがってｙ２方向に下がる傾斜面が形成されている。変形例２でも、実施の形態１に係るスイッチ１と同様の効果を得ることができる。
【００５４】
［変形例３］
図１０Ｃは、本実施の形態１に係るスイッチ１の外側操作部４０の変形例３である。実施の形態１では、内側操作部５０が必須構成となっていたが、それに限定されるものではない。変形例３では、内側操作部５０が設けられていない態様である。また、変形例３ではプル式ではなくプッシュ式である。
【００５５】
本体１０には、摺動部４２ｕが摺動するガイド部４２ｕ１が形成されている。ガイド部４２ｕ１はｙ１方向に延びるように形成されている。ガイド部４２ｕ１は外側操作部４０がｙ１方向及びｙ２方向に動きやすいようにガイドする機能を有する。
【００５６】
変形例３ではスイッチ部３２ａの向きが実施の形態１のときとは逆である。つまり、スイッチ部３２ａは押込方向がｘ１方向である。また、スイッチ部３２ａは、実施の形態１よりも、摺動部４２ｕの位置が摺動部４２ｕ寄りである。また、弾性部材６０の位置が側面部１２ｄではなく、蓋本体部２１となっている。弾性部材６０は一端が蓋本体部２１に接続され、他端が摺動部４２ｕの蓋本体部２１に対向する端面に接続されている。さらに、摺動部４２ｕには突出部４２ｕ２が形成されている。図１０Ｃに示す状態から外側操作部４０をｙ１方向に移動させると、突出部４２ｕ２とスイッチ部３２ａとが接触し、スイッチ部３２ａが押し込まれる。
【００５７】
本実施の形態１に係るスイッチ１は、スイッチ部３２ａを有するスイッチ端子３２が板状の基板３１に実装されたスイッチ基板３０と、スイッチ部３２ａを押圧する操作部と、操作部及びスイッチ基板３０が配設される空間を有する箱形状であり、スイッチ基板３０の板状の側方との間に間隔（隙間Ａ）を設けるように側面を設けた本体１０と、本体１０に設けられ、スイッチ端子３２のスイッチ部３２ａの反対の面と接触するスイッチ支持部１６とを備えている。なお、本実施の形態１において、操作部は、外側操作部４０及び内側操作部５０に対応し、スイッチ基板３０の側方はスイッチ基板３０の周縁部３１ａ１〜３１ａ４に対応している。上述の構成を備えているため、スイッチ基板３０の実装バラツキによる不具合（スイッチ１の損傷及びスイッチ１が機能しない）を抑制して、スイッチ１の操作性確実性が低減することを抑制することができる。
【００５８】
本体１０は、スイッチ基板３０のスイッチ端子３２が実装された実装面と対向する面に、スイッチ基板３０が載置される載置部を有し、載置部は、スイッチ基板３０の実装面の反対側である背面に対向する本体１０の底面（蓋部２０）とで、スイッチ基板３０を挟む。
なお、本実施の形態１において、載置部は、基板積載部１５に対応する。載置部及びスイッチ基板３０を挟む構成を備えていることで、スイッチ基板３０が本体１０内で動いてしまうことを防止することができる。
【００５９】
本体１０の側面には基板３１を支持する支持部が形成されている。なお、本実施の形態１において、支持部は、第１基板支持部１３、第２基板支持部１４及び側面部１２ａである。これにより、スイッチ基板３０を、ｘ−ｚ面内における規定範囲に配置することができる。
【００６０】
なお、本実施の形態１では、スイッチ部３２ａの押込方向と外側操作部４０の操作方向とが直交するように交差する場合について説明したが、それに限定されるものではない。例えば、第１傾斜面及び第２傾斜面の角度やつまみ部４１の形成方向を変えることで、外側操作部４０の操作方向が、スイッチ部３２ａの押込方向に対して直交以外の角度をなしていても、外側操作部４０を引っ張ることができ、スイッチ１のＯＮ、ＯＦＦができる。
【００６１】
また、本実施の形態１では、第１基板支持部１３及び第２基板支持部１４を備えた態様について説明したが、それに限定されるものではない。第１基板支持部１３及び第２基板支持部１４を設ける代わりに、側面部１２ａ〜１２ｄを第１基板支持部１３及び第２基板支持部１４として機能させてもよい。例えば、本実施の形態１で説明したものより基板３１の形状を大きく形成し、基板３１の周縁部と側面部１２ａ〜１２ｄとの間に隙間Ａを設けるようにしてもよい。なお、基板３１は、側面部１２ａ〜１２ｄの全てに対して、隙間Ａが形成されている必要はない。
【００６２】
実施の形態２．
本実施の形態２では実施の形態１及び変形例１〜３で説明したスイッチ１を備えた照明器具について説明する。なお、本実施の形態２では実施の形態１及び変形例１〜３と共通する構成については同一符号を付して説明を省略し、異なる部分を中心に説明する。
【００６３】
図１１は、本実施の形態２に係るスイッチを備えた照明器具１００の斜視図である。
図１２は、本実施の形態２に係るスイッチを備えた照明器具１００の分解斜視図である。
【００６４】
照明器具１００は、器具本体１０１と、照明ユニット１０２とを備えた、天井等に取り付けられるトラフ型照明器具である。
器具本体１０１は、本体１１０と、非常用光源ユニット１２０とを備えている。
【００６５】
図１３は、本実施の形態２に係るスイッチ１を備えた照明器具１００の点灯装置等の説明図である。
図１４は、本実施の形態２に係るスイッチ１を備えた照明器具１００の照明ユニット１０２の分解斜視図である。
図１５は、本実施の形態２に係るスイッチ１を備えた照明器具１００の器具本体１０１の斜視図である。
図１６は、図１５に示す器具本体１０１について、非常用光源ユニット１２０を分解した状態で示した斜視図である。
図１７は、図１５に示す器具本体１０１について、図１６とは異なる方向から見た斜視図である。
なお、図１５及び図１６では係止部１４０を省略している。
【００６６】
（本体１１０）
本体１１０は、基部１１１と、側板部１１２と、本体凹部１１３と、端板部１１４と、係止部１４０とを備えている。
【００６７】
基部１１１の周縁には、側板部１１２及び端板部１１４が設けられている。そして、基部１１１、側板部１１２及び端板部１１４によって凹状の本体凹部１１３が形成されている。本体凹部１１３には照明ユニット１０２が配置される。
なお、側板部１１２には切欠部１１２ａ及び切欠部１１２ｂが形成されている。切欠部１１２ａ及び切欠部１１２ｂには配線が通される。また、切欠部１１２ｂは蓄電池１２６を非常用光源ユニット１２０に取り付けやすいように形成されている。
係止部１４０は照明ユニット１０２を係止して、照明ユニット１０２を本体１１０に取り付けるのに用いられる。
【００６８】
（照明ユニット１０２）
照明ユニット１０２は、カバー１０３等と、点灯装置１０６と、連結部１０７とを備えている。
【００６９】
カバー１０３等には、カバー１０３と、基板１０４と、フレーム１０５とが含まれる。
カバー１０３は、光源蓋部１０３Ａと、下面部１０３Ｂと、着脱部１０３Ｃとを備えている。カバー１０３は円弧形状であり、光を拡散させることができる。光源蓋部１０３Ａは下面部１０３Ｂの長手方向の両端部にそれぞれ取り付けられる。着脱部１０３Ｃは、後述する取付部１０５Ｂに取り付けられる。
基板１０４は、例えば、発光素子等が実装されている。基板１０４は短辺１０４Ａ及び長辺１０４Ｂを有する矩形状である。
フレーム１０５には、基板１０４が固定される。フレーム１０５は、下面１０５Ａと、取付部１０５Ｂと、上面１０５Ｃとを備えている。下面１０５Ａには基板１０４が固定される。取付部１０５Ｂはカバー１０３の着脱部１０３Ｃが取り付けられる。上面１０５Ｃには点灯装置１０６が配置される。
【００７０】
点灯装置１０６は、点灯装置本体１０６ａと、接続部１０６ｂとを備えている。なお、接続部１０６ｂは、配線１０６ｂａと、コネクタ１０６ｂｂとを備えている。
【００７１】
連結部１０７は、フレーム１０５の上面１０５Ｃ上に配置されている。連結部１０７は図１３（ｃ）に示すように上面１０５Ｃに固定される基部１０７ａと、基部１０７ａから立ち上がるように配置された立上部１０７ｂと、立上部１０７ｂに形成された開口部１０７ｂａとを有している。開口部１０７ｂａには係止部１４０が挿入されて照明ユニット１０２が本体１１０に固定される。
【００７２】
（非常用光源ユニット１２０）
非常用光源ユニット１２０は、スイッチ１と、ユニット外郭部１２１Ｕと、非常用光源部１２３と、固定部１２４と、光源設置台部１２５と、蓄電池１２６と、蓄電池側接続部１２７と、非常用点灯装置１２８とを備えている。非常用光源ユニット１２０は、本体１１０に取り付けられる。
【００７３】
スイッチ１は、光源設置台部１２５内に取り付けられる。スイッチ１を操作することで非常用光源部１２３の点灯状態を制御できるようになっている。
【００７４】
ユニット外郭部１２１Ｕは、底面部１２２Ａと外郭部１２１からなる箱形状であり、本体１１０側の側面に蓄電池１２６が出し入れ可能な蓄電池用開口１２２Ｃを有している。
底面部１２２Ａは、箱形状の底面にあたり蓄電池１２６を収容する蓄電池収容部１２２Ｂを備えている。蓄電池収容部１２２Ｂは蓄電池用開口１２２Ｃと連通する。
外郭部１２１は、向かい合う一対の側面部１２１Ａと、下面部１２１Ｂと、内側面部１２１Ｄと、テーパー面が形成された側面部１２１Ｃとを備えている。下面部１２１Ｂには非常用光源部１２３が臨む開口部１２１Ｂａと、外側操作部４０のつまみ部４１が挿入される操作部用開口部１２１Ｂｂと、モニタ用開口部１２１Ｂｃとが形成されている。外郭部１２１は、例えば、金属等の不燃材で構成される。
【００７５】
モニタ用開口部１２１Ｂｃはスイッチ１内に配置された光源３３の下側に形成されている。光源３３の点灯動作はモニタ用開口部１２１Ｂｃを介して確認できる。光源３３は、例えば、蓄電池１２６が適切に充電されている場合には点灯し、充電されていない場合には消灯し、蓄電池１２６の交換時期が近づいている場合には点滅する。
【００７６】
内側面部１２１Ｄには蓄電池１２６を非常用光源ユニット１２０内に収容できるように切欠部１２１Ｄａが形成されている。内側面部１２１Ｄは本体１１０の側板部１１２側に設けられ、切欠部１２１Ｄａが側板部１１２の形成された切り欠きとともに蓄電池用開口１２２Ｃを形成している。
【００７７】
非常用光源部１２３は、発光素子等が実装された基板１２３Ａと、基板１２３Ａの下側に配置されたリング状のソケット部１２３Ｂと、カバー部１２３Ｃとを備えている。
固定部１２４は非常用光源部１２３を光源設置台部１２５の下面に固定するのに用いられる。
【００７８】
蓄電池１２６は、正常に供給されている状態では、非常用点灯装置１２８により充電され、停電などにより商用電力からの電力供給が停止されると、非常用点灯装置１２８の電力により非常用光源部１２３を点灯させる。蓄電池１２６は、略直方体形状をした蓄電池本体１２６Ａと、蓄電池側接続部１２７とを有している。蓄電池側接続部１２７は、蓄電池側電線１２７ａと蓄電池側コネクタ１２７ｂを有している。
【００７９】
非常用点灯装置１２８は、図示しない電線により商用電源などの外部電源が正常に供給されている状態では、商用電源からの電力により蓄電池１２６を充電する。停電などにより商用電力からの電力供給が停止されると、蓄電池１２６からの電力により非常用光源部１２３を点灯させる。非常用点灯装置１２８は、電源側本体１２８Ａと、電源側接続部１２８Ｂとを備えている。電源側接続部１２８Ｂは電源側配線１２８Ｂａと電源側コネクタ１２８Ｂｂとを備えている。電源側接続部１２８Ｂは電源側コネクタ１２８Ｂｂが蓄電池側接続部１２７の蓄電池側コネクタ１２７ｂと接続する。
【００８０】
照明器具１００は、外側操作部４０を引っ張ると、非常用点灯装置１２８から蓄電池１２６へ電力を供給して蓄電していた第１の状態から、蓄電池１２６から光源３３（図５及び図６参照）へ電力を供給して光源３３を点灯させる第２の状態へ切り換えられる。
光源３３の点灯確認ができれば、蓄電池１２６に蓄電されているということを確認できる。なお、第２の状態から第１の状態へ再び戻る条件としては、再度、外側操作部４０を引っ張る動作を採用してもよいし、予め定められた時間が経過したことを採用してもよい。
非常用点灯装置１２８は、商用電源等の外部電源が正常に供給されている状態では、商用電源からの電力により蓄電池１２６を充電する。停電等により商用電力から非常用点灯装置１２８への電力供給が停止されると、蓄電池１２６からの電力により非常用光源部１２３を点灯させる。
【００８１】
本実施の形態２では、非常用光源ユニット１２０は、薄型化されたスイッチ１を用いることで、非常用光源ユニット１２０の大型化を抑制することができる。
【００８２】
また、スイッチ１は、光源３３が本体１０の内側で発光しており、本体１０の平面部１１を主として面発光している。スイッチをユニット外郭部１２１Ｕの内側に配置したときに光源が点光源であると、斜め方向から確認したり、スイッチの設置位置が所定の位置から多少のズレが発生するとモニタ用開口部１２１Ｂｃから見え難く、視認性が悪くなってしまうが、スイッチ１は光源３３により面発光することで、斜め方向からの確認・ズレが発生じたときにも視認性を確保することができる。
【００８３】
図１８は、図１１〜図１７で説明した非常用光源ユニット１２０とは異なる非常用光源ユニット１２０ｔの説明図であり、単独で天井などに形成された埋め込み孔に取り付けられる。
非常用光源ユニット１２０ｔは円筒状をなしており、下部開口部から非常用光源部１２３ｔが臨んでいる。また、非常用光源ユニット１２０ｔの下部には外側操作部４０が突き出る開口１２１ｔが形成されている。
【００８４】
［本実施の形態２に係るスイッチ１を備えた照明器具１００の有する効果］
本実施の形態２でも実施の形態１で説明した効果と同様の効果を得ることができる。薄型化できるスイッチ１を備えているので、照明器具１００の大型化も抑制することができる。
【符号の説明】
【００８５】
１  スイッチ、１０  本体、１１  平面部、１１ａ  操作用開口、１２  側面部、１２ａ  側面部、１２ａａ  接続用開口、１２ｂ  側面部、１２ｃ  側面部、１２ｄ  側面部、１３  第１基板支持部、１４  第２基板支持部、１４ａ  直線部、１４ｂ  接触部、１５  基板積載部、１５ａ  第１積載部、１５ａ１  凸部、１５ｂ  第２積載部、１６  スイッチ支持部、１６ａ  配置面、１７  蓋用凸部、２０  蓋部、２１  蓋本体部、２１ａ  蓋側基板保持部、２２  蓋側係合部、３０  スイッチ基板、３１  基板、３１ａ１  周縁部、３１ａ２  周縁部、３１ａ３  周縁部、３１ａ４  周縁部、３１ｂ  切欠部、３２  スイッチ端子、３２ａ  スイッチ部、３２ｂ  端面、３３  光源、３４  接続端子、４０  外側操作部、４１  部、４１ａ  引掛開口、４２  摺動部、４２ａ  傾斜面、４２ｓ  摺動部、４２ｔ  摺動部、４２ｕ  摺動部、４２ｕ１  ガイド部、４２ｕ２  突出部、５０  内側操作部、５１  スイッチ収容部、５１ａ  スイッチ押込面、５１ｂ  端面、５２  操作部収容部、５２ａ  摺動受部、５２ａｓ  摺動受部、５２ａｔ  摺動受部、５２ｂ  弾性部材保持部、６０  弾性部材、１００  照明器具、１０１  器具本体、１０２  照明ユニット、１０３  カバー、１０３Ａ  光源蓋部、１０３Ｂ  下面部、１０３Ｃ  着脱部、１０４  基板、１０４Ａ  短辺、１０４Ｂ  長辺、１０５  フレーム、１０５Ａ  下面、１０５Ｂ  取付部、１０５Ｃ  上面、１０６  点灯装置、１０６ａ  点灯装置本体、１０６ｂ  接続部、１０６ｂａ  配線、１０６ｂｂ  コネクタ、１０７  連結部、１０７ａ  基部、１０７ｂ  立上部、１０７ｂａ  開口部、１１０  本体、１１１  基部、１１２  側板部、１１２ａ  切欠部、１１２ｂ  切欠部、１１３  本体凹部、１１４  端板部、１２０  非常用光源ユニット、１２０ｔ  非常用光源ユニット、１２１  外郭部、１２１Ａ  側面部、１２１Ｂ  下面部、１２１Ｂａ  開口部、１２１Ｂｂ  操作部用開口部、１２１Ｂｃ  モニタ用開口部、１２１Ｃ  側面部、１２１Ｄ  内側面部、１２１Ｄａ  切欠部、１２１Ｕ  ユニット外郭部、１２１ｔ  開口、１２２Ａ  底面部、１２２Ｂ  蓄電池収容部、１２２Ｃ  蓄電池用開口、１２３  非常用光源部、１２３Ａ  基板、１２３Ｂ  ソケット部、１２３Ｃ  カバー部、１２３ｔ  非常用光源部、１２４  固定部、１２５  光源設置台部、１２６  蓄電池、１２６Ａ  蓄電池本体、１２７  蓄電池側接続部、１２７ａ  蓄電池側電線、１２７ｂ  蓄電池側コネクタ、１２８  非常用点灯装置、１２８Ａ  電源側本体、１２８Ｂ  電源側接続部、１２８Ｂａ  電源側配線、１２８Ｂｂ  電源側コネクタ、１４０  係止部、Ａ  隙間、Ａ１  隙間、Ａ２  隙間、Ａ３  隙間、Ａ４  隙間、Ｂ  光源配置部。
【図１】
0006708445.tif 000002
【図２】
0006708445.tif 000003
【図３】
0006708445.tif 000004
【図４】
0006708445.tif 000005
【図５】
0006708445.tif 000006
【図６】
0006708445.tif 000007
【図７】
0006708445.tif 000008
【図８】
0006708445.tif 000009
【図９Ａ】
0006708445.tif 000010
【図９Ｂ】
0006708445.tif 000011
【図９Ｃ】
0006708445.tif 000012
【図９Ｄ】
0006708445.tif 000013
【図９Ｅ】
0006708445.tif 000014
【図９Ｆ】
0006708445.tif 000015
【図１０Ａ】
0006708445.tif 000016
【図１０Ｂ】
0006708445.tif 000017
【図１０Ｃ】
0006708445.tif 000018
【図１１】
0006708445.tif 000019
【図１２】
0006708445.tif 000020
【図１３】
0006708445.tif 000021
【図１４】
0006708445.tif 000022
【図１５】
0006708445.tif 000023
【図１６】
0006708445.tif 000024
【図１７】
0006708445.tif 000025
【図１８】
0006708445.tif 000026